(57)【要約】  【課題】  親機無線機と子機無線機のコネクタ同士を接続すると有線通話路となり、データの有線通信を可能にするとともに、親機無線機と子機無線機のコネクタ同士を分離するとデータ無線通信を可能にする、使用環境に応じて有線および無線の双方に、柔軟に対応可能な使い勝手の良い無線装置を提供する。  【解決手段】  動作モードを設定する親機スイッチ３ａ、親機無線機３の動作状態を表示する表示器３ｂ、子機無線機４に結合または子機無線機４から分離するコネクタ３ｃ、無線信号を子機無線機４に送信するアンテナＡＮＴ１を備えた親機無線機３と、直流電源のオン／オフを行う子機スイッチ４ａ、子機無線機４の動作状態を表示する表示器４ｂ、親機無線機３に結合または親機無線機３から分離するコネクタ４ｃ、親機無線機３からの無線信号を受信するアンテナＡＮＴ２を備えた子機無線機４とから構成する。【選択図】  図１
2007006000.tif 000002
【特許請求の範囲】
【請求項１】
一方の外部機器が第一のケーブルを介して親機無線機と接続するとともに、他方の外部機器が第二のケーブルを介して子機無線機と接続して、前記一方の外部機器が前記第一のケーブルを介して接続された前記親機無線機と、前記他方の外部機器が前記第二のケーブルを介して接続された前記子機無線機との間で、データの無線通信を行う無線装置において、
前記親機無線機および前記子機無線機は、それぞれ前記第一のケーブルおよび前記第二のケーブル間を接続または切断するコネクタを備え、前記両コネクタの結合時に、前記第一のケーブルおよび前記第二のケーブル間を接続して有線通信路を形成し、データ伝送を行うことを特徴とする無線装置。
【請求項２】
前記第一のケーブルおよび前記第二のケーブルは、それぞれデータを伝送するデータ線と、前記親機無線機および前記子機無線機に直流電源を供給する電源線と、を備えたことを特徴とする請求項１記載の無線装置。
【請求項３】
前記親機無線機は、動作モードを設定する親機スイッチを備え、チャネル（周波数）の設定、設定したチャネル（周波数）の前記子機無線機への送信および前記子機無線機へデータの無線通信を行うことを特徴とする請求項１記載の無線装置。
【請求項４】
前記両コネクタは、結合時に、前記親機無線機で設定したチャネル（周波数）を前記子機無線機に有線で送信することを特徴とする請求項１記載の無線装置。
【請求項５】
前記親機無線機および前記子機無線機は、それぞれ前記コネクタの結合／分離、無線通信の正常／異常、電界強度の強／弱などの無線条件を表示する表示器を備えたことを特徴とする請求項１記載の無線装置。
【発明の詳細な説明】
【技術分野】
【０００１】
本発明は生産工程の生産設備相互間を接続してデータの伝送を行う無線装置に係り、特に無線装置同士をコネクタで結合して１本のケーブルとし、ケーブルを介してデータの有線通信を可能とするとともに、コネクタを分離して無線装置間でデータの無線通信を可能とする無線装置に関する。
【背景技術】
【０００２】
生産ラインに配置したプログラマブルコントローラ（ＰＬＣ）などの装置間のデータ通信を無線通信で実現するために、本体装置（ＰＬＣ）と本体側無線装置間を有線接続するとともに、相手側装置（ＰＬＣ）と相手側無線装置間を有線接続し、本体側無線装置と相手側無線装置間を無線接続することで、本体側無線装置と相手側無線装置を介して、本体装置（ＰＬＣ）と相手側装置（ＰＬＣ）間のデータ通信を実行するデータ通信システムであって、本体側無線装置と相手側無線装置間を無線接続するデータ通信の運用開始前に、本体側無線装置と相手側無線装置間を有線接続することで、本体装置（ＰＬＣ）および相手側装置（ＰＬＣ）間の有線部分に関わる通信状態を検出可能にしたものが「特許文献１」に開示されている。
【０００３】
このような構成により、データ通信の運用開始前に、本体装置および相手側装置間の有線部分に関わる通信状態を検出可能にしたので、有線部分による通信状態が正常であることを確認した後、本体側無線装置と相手側無線装置間の有線接続を解除し、本体側無線装置と相手側無線装置間を無線接続することにより、本体装置と相手側装置間に通信不具合が生じた場合には、有線部分が正常であることを確認してあるので、無線部分による通信不具合であると判断することができる。
【０００４】
これにより、運用開始前の本体装置（ＰＬＣ）と相手側装置（ＰＬＣ）間の有線部分および無線部分を含めた通信不具合箇所を特定する時間を大幅に短縮化することができるものである。
【０００５】
このように、「特許文献１」に開示された従来の技術は、無線装置間を有線で接続するが、この有線接続は、データ通信の運用開始前に、有線部分の不具合の有無を確認するためのもので、運用時のデータ通信は、無線通信で実行されている。
【特許文献１】特開２００５−１５１４２８号公報
【発明の開示】
【発明が解決しようとする課題】
【０００６】
しかしながら、「特許文献１」に開示された従来の技術は、運用時のデータ通信は、本体側無線装置と相手側無線装置間が無線通信で実行されるため、無線装置が配置された生産ラインの無線環境が悪いケースを想定すると、データ通信を一旦停止して無線条件を変更しなけれはならなく、データ通信再開に時間を要し、生産に影響を及ぼす虞がある。
【０００７】
また、無線条件を変更しても無線通信ができない場合には、本体側無線装置と相手側無線装置の代わりに本体装置（ＰＬＣ）と相手側装置（ＰＬＣ）間をケーブルで接続し、データを有線通信で行わなければならず、生産ラインのレイアウトなどにより、容易に有線（ケーブル）で接続できないケースも発生する。
【０００８】
この発明はこのような課題を解決するためになされたもので、その目的は無線装置のコネクタ同士を結合すると１本のケーブルとなり、有線通信を可能にするとともに、無線装置のコネクタを分離すると無線通信を可能にする、使用環境に応じて有線および無線の双方に、柔軟に対応可能な使い勝手の良い無線装置を提供することにある。
【課題を解決するための手段】
【０００９】
前記課題を解決するためこの発明に係る無線装置は、一方の外部機器が第一のケーブルを介して親機無線機と接続するとともに、他方の外部機器が第二のケーブルを介して子機無線機と接続して、一方の外部機器が第一のケーブルを介して接続された親機無線機と、他方の外部機器が第二のケーブルを介して接続された子機無線機との間で、データの無線通信を行う無線装置において、親機無線機および子機無線機は、それぞれ第一のケーブルおよび第二のケーブル間を接続または切断するコネクタを備え、両コネクタの結合時に、第一のケーブルおよび第二のケーブル間を接続して有線通信路を形成し、データ伝送を行うことを特徴とする。
【００１０】
この発明に係る無線装置の親機無線機および子機無線機は、それぞれ第一のケーブルおよび第二のケーブル間を接続または切断するコネクタを備え、両コネクタの結合時に、第一のケーブルおよび第二のケーブル間を接続して有線通信路を形成し、データ伝送を行うので、無線状態の悪い環境で使用する場合や通常の運用形態では、親機無線機と子機無線機をコネクタで接続してデータを有線通信で伝送するとともに、親機無線機と子機無線機を結合してデータ伝送できない環境で使用する場合には、親機無線機と子機無線機とのコネクタを分離してデータを無線通信で伝送することができる。
【００１１】
また、この発明に係る第一のケーブルおよび第二のケーブルは、それぞれデータを伝送するデータ線と、親機無線機および子機無線機に直流電源を供給する電源線とを備えたことを特徴とする。
【００１２】
この発明に係る第一ケーブルおよび第二ケーブルは、それぞれデータを伝送するデータ線と、親機無線機および子機無線機に直流電源を供給する電源線とを備えたので、データ線を介してデータを伝送するとともに、電源線を介して直流電源を供給して親機無線機および子機無線機を動作させることができる。
【００１３】
さらに、この発明に係る親機無線機は、動作モードを設定する親機スイッチを備え、チャネル（周波数）の設定、設定したチャネル（周波数）の子機無線機への送信、および子機無線機へデータの無線通信を行うことを特徴とする。
【００１４】
この発明に係る親機無線機は、動作モードを設定する親機スイッチを備え、チャネル（周波数）の設定、設定したチャネル（周波数）の子機無線機への送信、および子機無線機へデータの無線通信を行うので、親機スイッチを切替えることにより、無線通信のための親機無線機のチャネル（周波数）設定、親機無線機から子機無線機へ有線でチャネル（周波数）設定、コネクタを分離した時のデータの無線通信を実現することができる。
【００１５】
また、この発明に係る両コネクタは、結合時に、親機無線機で設定したチャネル（周波数）を子機無線機に有線で送信することを特徴とする。
【００１６】
この発明に係る両コネクタは、結合時に、親機無線機で設定したチャネル（周波数）を子機無線機に有線で送信するので、親機無線機で設定されたチャネル（周波数）をコネクタを介して有線通信して子機無線機に自動的に設定することができる。
【００１７】
さらに、この発明に係る親機無線機および子機無線機は、それぞれコネクタの結合／分離、無線通信の正常／異常、電界強度の強／弱などの無線条件を表示する表示器を備えたことを特徴とする。
【００１８】
この発明に係る親機無線機および子機無線機は、それぞれコネクタの結合／分離、無線通信の正常／異常、電界強度の強／弱などの無線条件を表示する表示器を備えたので、コネクタの結合時に、親機無線機と子機無線機が接続（隣接）されているので、両表示器で親機無線機および子機無線機の正常動作を目視確認してから、コネクタを分離してデータの無線通信に移行することができる。
【発明の効果】
【００１９】
この発明に係る無線装置の親機無線機および子機無線機は、それぞれ第一のケーブルおよび第二のケーブル間を接続または切断するコネクタを備え、両コネクタの結合時に、第一のケーブルおよび第二のケーブル間を接続して有線通信路を形成し、データ伝送を行うので、無線状態の悪い環境で使用する場合や通常の運用形態では、親機無線機と子機無線機をコネクタで接続してデータを有線通信で伝送するとともに、親機無線機と子機無線機を結合してデータ伝送できない環境で使用する場合には、親機無線機と子機無線機とのコネクタを分離してデータを無線通信で伝送することができ、使用環境に応じて有線および無線の双方に、柔軟に対応可能になり、使い勝手の良さをアピールすることができる。
【００２０】
また、この発明に係る第一ケーブルおよび第二ケーブルは、それぞれデータを伝送するデータ線と、親機無線機および子機無線機に直流電源を供給する電源線とを備えたので、データ線を介してデータを伝送するとともに、電源線を介して直流電源を供給して親機無線機および子機無線機を動作させることができ、データを有線通信するとともに、親機無線機および子機無線機間でデータを無線通信することができる。
【００２１】
さらに、この発明に係る親機無線機は、動作モードを設定する親機スイッチを備え、チャネル（周波数）の設定、設定したチャネル（周波数）の子機無線機への送信、および子機無線機へデータの無線通信を行うので、親機スイッチを切替えることにより、無線通信のための親機無線機のチャネル（周波数）設定、親機無線機から子機無線機へ有線でチャネル（周波数）設定、コネクタを分離した時のデータの無線通信を実現することができ、操作を単純にして、利便性の向上を図ることができる。
【００２２】
また、この発明に係る両コネクタは、結合時に、親機無線機で設定したチャネル（周波数）を子機無線機に有線で送信するので、親機無線機で設定されたチャネル（周波数）をコネクタを介して有線通信して子機無線機に自動的に設定することができ、無線知識がなくても容易に無線条件を設定することができる。
【００２３】
さらに、この発明に係る親機無線機および子機無線機は、それぞれコネクタの結合／分離、無線通信の正常／異常、電界強度の強／弱などの無線条件を表示する表示器を備えたので、コネクタの結合時に、親機無線機と子機無線機が接続（隣接）されているので、両表示器で親機無線機および子機無線機の正常動作を目視確認してから、コネクタを分離してデータの無線通信に移行することができ、データの無線通信を保証することができる。
【発明を実施するための最良の形態】
【００２４】
以下、この発明の実施の形態を添付図面に基づいて説明する。なお、本発明は親機無線機のコネクタと子機無線機のコネクタを結合すると、親機無線機と子機無線機との間がスルーに接続され、データの有線通信を可能とするとともに、親機無線機のコネクタと子機無線機のコネクタを分離すると、親機無線機と子機無線機の間でデータの無線通信を可能とする、生産ラインなどの物理環境または無線条件に応じて、データの有線通信または無線通信の双方に、柔軟に適用可能なものである。
【００２５】
図１はこの発明に係る無線装置の一実施の形態コネクタ分離図である。図１において、無線装置１は、親機無線機３と、子機無線機４とから構成する。
【００２６】
親機無線機３は、第一のケーブルを構成するケーブル２ａを介して一方の外部機器に接続する。また、子機無線機４は、第二のケーブルを構成するケーブル２ｂを介して他方の外部機器に接続する。
【００２７】
ケーブル２ａは、一方の外部機器（例えば、ＰＬＣなどの生産設備）から供給されるデータおよび直流電源を親機無線機３に供給する。ケーブル２ｂは、他方の外部機器（例えば、生産ラインなどで使用される処理装置）から供給される直流電源を子機無線機４に供給するとともに、子機無線機４が受信した親機無線機３からの無線信号を変換したデータを処理装置に伝送する。
【００２８】
親機無線機３は、動作モードを設定する親機スイッチ３ａ、親機無線機３の動作状態を表示する表示器３ｂ、親機無線機３を子機無線機４に結合または子機無線機４から分離するコネクタ３ｃ、無線通信のためのチャネル（周波数）を設定するチャネル設定スイッチ３ｄ、無線信号を子機無線機４に送信するアンテナＡＮＴ１を備え、コネクタ３ｃが分離されている状態で、ケーブル２ａを介して供給されるデータを無線信号に変換し、無線信号をアンテナＡＮＴ１を介して子機無線機４に送信する。
【００２９】
子機無線機４は、直流電源のオン／オフを行う子機スイッチ４ａ、子機無線機４の動作状態を表示する表示器４ｂ、子機無線機４を親機無線機３に結合または親機無線機３から分離するコネクタ４ｃ、親機無線機３からの無線信号を受信するアンテナＡＮＴ２を備え、コネクタ４ｃが分離されている状態で、アンテナＡＮＴ２で受信した無線信号をデータに変換し、変換したデータをケーブル２ｂを介して処理装置に伝送する。
【００３０】
図２はこの発明に係る無線装置の一実施の形態コネクタ結合図である。図２において、親機無線機３のコネクタ３ｃと子機無線機４のコネクタ４ｃを結合すると、親機無線機３の親機スイッチ３ａの動作モード設定および子機無線機４の子機スイッチ４ａの直流電源オン／オフ状態に拘わらず、ケーブル２ａとケーブル２ｂは、コネクタ３ｃおよびコネクタ４ｃを介してスルーに接続して有線通信路を形成し、ＰＬＣからのデータがケーブル２ａおよびケーブル２ｂを介して処理装置に伝送されることになる。
【００３１】
また、親機無線機３と子機無線機４がコネクタ３ｃおよびコネクタ４ｃで結合され、ケーブル２ａとケーブル２ｂがスルーの有線通信路を形成し、データを有線通信している状態で、子機無線機４の子機スイッチ４ａを直流電源オン状態にし、親機無線機３の親機スイッチ３ａを切替え、チャネル設定スイッチ３ｄで周波数を設定することにより、親機無線機３の無線条件を自動設定し、設定したチャネル（周波数）などの無線条件をコネクタ３ｃ→コネクタ４ｃを介して有線通信で子機無線機４に送信し、子機無線機４にも自動設定する。
【００３２】
続いて、親機無線機３の親機スイッチ３ａを切替えることにより、コネクタ３ｃおよびコネクタ４ｃが結合されてデータを有線通信している状態で、親機無線機３のアンテナＡＮＴ１から子機無線機４のアンテナＡＮＴ２にデータを無線信号で無線通信する。
【００３３】
データを有線通信しながらデータの無線信号の無線通信が成立したことを表示器３ｂおよび表示器４ｂで電界強度などの無線条件を目視確認した後、コネクタ３ｃとコネクタ４ｃを分離して図１の状態にすることにより、データの有線通信から継続してデータの無線通信に移行することができる。
【００３４】
これにより、親機無線機３と子機無線機４を用いて生産ラインの生産設備（例えば、ＰＬＣ）と処理装置などとの間のデータ伝送をする際、初めに親機無線機３と子機無線機４をコネクタ結合してデータの有線通信を実行し、レイアウト変更などの物理的条件の変化に伴い、有線通信でデータ伝送ができない場合、親機無線機３と子機無線機４のコネクタを分離し、親機無線機３と子機無線機４との間で、データの無線通信を実行することによって、データの有線通信からデータの無線通信を継続して行うことができる。
【００３５】
また、親機無線機３と子機無線機４との間で、データの無線通信を実行している状態で、周囲の無線環境が悪化した場合には、親機無線機３と子機無線機４をコネクタ結合して有線通信路を形成し、データの有線通信を実行することができる。
【００３６】
図３はこの発明に係る無線装置の一実施の形態要部ブロック構成図である。なお、データ伝送は、親機無線機３から子機無線機４に伝送されるものとする。図３において、無線装置１は、親機無線機３と、子機無線機４から構成する。なお、ケーブル２ａには、生産設備（ＰＬＣ）１０を接続し、ケーブル２ｂには、処理装置１１を接続するものとする。
【００３７】
１対のケーブル２ａおよびケーブル２ｂは、それぞれデータ信号ＳDを伝送するデータ線ＬＤ１およびデータ線ＬＤ２と、それぞれ直流電源Ｖ１および直流電源Ｖ２を供給する電源線ＬＰ１および電源線ＬＰ２を備える。
【００３８】
データ線ＬＤ１は、生産設備（ＰＬＣ）１０から提供されるデータ信号ＳDを親機無線機３に伝送し、電源線ＬＰ１は、生産設備（ＰＬＣ）１０から供給される直流電源Ｖ１を親機無線機３に供給する。
【００３９】
データ線ＬＤ２は、子機無線機４から提供されるデータ信号ＳDを処理装置１１に伝送し、電源線ＬＰ２は、処理装置１１から供給される直流電源Ｖ２を子機無線機４に供給する。
【００４０】
このように、この発明に係る第一ケーブル（ケーブル２ａ）および第二ケーブル（ケーブル２ｂ）は、それぞれデータ（データ信号ＳD）を伝送するデータ線（ＬＤ１、ＬＤ２）と、親機無線機３および子機無線機４に直流電源（Ｖ１、Ｖ２）を供給する電源線（ＬＰ１、ＬＰ２）とを備えたので、データ線を介してデータを伝送するとともに、電源線を介して直流電源を供給して親機無線機および子機無線機を動作させることができ、データを有線通信するとともに、親機無線機および子機無線機間でデータを無線通信することができる。
【００４１】
親機無線機３は、親機スイッチ３ａと連動し、直流電源Ｖ１をオン／オフする電源スイッチＳＷ１、動作モードを選択する親機スイッチ３ａ、ＲＳＳＩ（Receive Signal Strength Indicator）、コネクタの接続状態、無線通信のＯＫ／ＮＧなどをＬＥＤ（発光ダイオード）で表示する表示器３ｂ、親機無線機３と子機無線機４を結合／分離するコネクタ３ｃ、チャネル（周波数）を設定するチャネル設定スイッチ３ｄ、親機無線機３全体の動作を制御するＣＰＵ５ａ、送信するデータ信号ＳD、チャネル（周波数）などのデータを記憶するメモリ６ａ、無線信号を送信するＲＦ部７ａ、子機無線機４の直流電源Ｖ２を監視し、コネクタの結合状態を直流電源Ｖ２の検出で監視する結合監視部８ａ，直流電源Ｖ１を親機無線機３の各部に供給する電源部９ａ、無線信号を送信するアンテナＡＮＴ１を備える。
【００４２】
子機無線機４は、直流電源Ｖ２をオン／オフする電源スイッチＳＷ２を構成する子機スイッチ４ａ、チャネル（周波数）の設定、ＲＳＳＩ（Receive Signal Strength Indicator）、コネクタの接続状態などをＬＥＤ（発光ダイオード）で表示する表示器４ｂ、子機無線機４と親機無線機３を結合／分離するコネクタ４ｃ、子機無線機４全体の動作を制御するＣＰＵ５ｂ、受信するデータ信号ＳD、設定されたチャネル（周波数）などのデータを記憶するメモリ６ｂ、無線信号を受信するＲＦ部７ｂ、コネクタの結合状態を直流電源Ｖ１の検出で監視する結合監視部８ｂ、直流電源Ｖ２を子機無線機４の各部に供給する電源部９ｂ、無線信号を受信するアンテナＡＮＴ２を備える。
【００４３】
コネクタ３ｃおよびコネクタ４ｃは、コンタクトやスイッチで構成し、データ線ＬＤ１とデータ線ＬＤ２の接続／切断を行うコネクタスイッチｓｗａ、メモリ６ａとメモリ６ｂとの間の接続／切断を行うコネクタスイッチｓｗｂ、電源部９ａの直流電源Ｖ１を結合監視部８ｂに接続／切断を行うコネクタスイッチｓｗｃ、電源部９ｂの直流電源Ｖ２を結合監視部８ａに接続／切断を行うコネクタスイッチｓｗｄを備え、コネクタスイッチｓｗａ〜コネクタスイッチｓｗｄは、連動して動作し、コネクタの結合時には、コネクタスイッチｓｗａ〜コネクタスイッチｓｗｄを全てオン状態にするとともに、コネクタの分離時には、コネクタスイッチｓｗａ〜コネクタスイッチｓｗｄを全てオフ状態にする。
【００４４】
コネクタスイッチｓｗａのオンにより、データ線ＬＤ１とデータ線ＬＤ２をスルーで接続し、親機無線機３と子機無線機４間に有線通信路を形成することができる。
【００４５】
コネクタスイッチｓｗｂを介して、親機無線機３でチャネル設定スイッチ３ｄにより設定したチャネル（周波数）などの無線条件ＪRをメモリ６ａから有線通信で送信し、メモリ６ｂに自動的に格納（登録）して子機無線機４を無線動作状態にする。
【００４６】
コネクタスイッチｓｗｃおよびコネクタスイッチｓｗｄを介して、それぞれ結合監視部８ｂおよび結合監視部８ａで、直流電源Ｖ１および直流電源Ｖ２を検出してコネクタの結合／分離を監視する。なお、本実施の形態では、コネクタ３ｃとコネクタ４ｃの結合／分離をスイッチのオン／オフで実行するように構成したが、コネクタ３ｃとコネクタ４ｃの結合／分離をコンタクトの接続／切断で実行するように構成してもよい。
【００４７】
親機スイッチ３ａは、スイッチ情報をＣＰＵ５ａに提供し、ＣＰＵ５ａの制御により電源スイッチＳＷ１のオン／オフ、ならびに電源スイッチＳＷ１をオンにした状態（直流電源Ｖ１を親機無線機３に供給した状態）で、チャネル設定スイッチ３ｄによる無線のチャネル（周波数）の設定、設定したチャネル（周波数）の子機無線機４への送信、無線信号の送信準備、および無線信号の無線通信の動作モードをコネクタの結合／分離と併せて実行する。
【００４８】
図４はこの発明に係る親機スイッチおよび子機スイッチの一実施の形態構成図である。図４において、親機スイッチ３ａは、３ポジション切替えのスライドスイッチで構成し、Ｐ１ポジション、Ｐ２ポジションおよびＰ３ポジションを備える。子機スイッチ４ａは、２ポジション切替えのスライドスイッチ（電源スイッチＳＷ２）で構成し、Ｐ５ポジションおよびＰ６ポジションを備える。
【００４９】
親機スイッチ３ａは、Ｐ１ポジションでは、電源スイッチＳＷ１がオフ状態にあり、直流電源Ｖ１が親機無線機３に供給されない状態にある。
【００５０】
また、Ｐ２ポジションでは、電源スイッチＳＷ１がオン状態にあり、直流電源Ｖ１が親機無線機３に供給されるとともに、無線通信に必要とされるチャネル（周波数）をチャネル設定スイッチ３ｄを用いて設定する。なお、親機無線機３には、外部のパーソナルコンピュータなどから無線通信に必要とされるチャネル（周波数）の複数を候補として入力し、格納しておき、チャネル設定スイッチ３ｄに複数のチャネル（周波数）を割り当て、チャネル設定スイッチ３ｄを操作してチャネル（周波数）を設定する時に、格納されている複数のチャネル（周波数）の中から使用されていないチャネル（周波数）を選択して設定する。
【００５１】
さらに、Ｐ３ポジションでは、電源スイッチＳＷ１がオン状態にあるとともに、無線信号をアンテナＡＮＴ１から送信する無線通信のテスト動作を実行する。
【００５２】
子機スイッチ４ａは、Ｐ５ポジションでは、電源スイッチＳＷ２がオフ状態にあり、直流電源Ｖ２が子機無線機４に供給されない状態にある。
【００５３】
また、Ｐ６ポジションでは、電源スイッチＳＷ２がオン状態にあり、直流電源Ｖ２が子機無線機４に供給される状態にある。
【００５４】
図５はこの発明に係る無線装置の一実施の形態動作モード図である。図５において、動作モードは、親機スイッチ３ａのポジション、子機スイッチ４ａのポジション、コネクタ３ｃとコネクタ４ｃの接続状態で設定する。
【００５５】
動作モードＭ１は、親機スイッチ３ａがＰ１ポジション、子機スイッチ４ａがＰ５ポジション、コネクタ３ｃ−４ｃが結合状態にあり、直流電源Ｖ１が親機無線機３に供給されておらず、直流電源Ｖ２も子機無線機４に供給されていないため、親機無線機３および子機無線機４は、動作停止状態にあるが、コネクタ３ｃ−４ｃが結合状態であるので、コネクタスイッチｓｗａがオン状態にあり、データ線ＬＤ１とデータ線ＬＤ２がスルーで接続されて、ケーブル２ａおよび親機無線機３と子機無線機４およびケーブル２ｂとが１本の有線通信路を形成してデータ信号ＳDを有線通信する。
【００５６】
動作モードＭ２は、親機スイッチ３ａがＰ２ポジション、子機スイッチ４ａがＰ６ポジション、コネクタ３ｃ−４ｃが結合状態にあり、直流電源Ｖ１が親機無線機３に供給され、直流電源Ｖ２も子機無線機４に供給されるため、親機無線機３および子機無線機４は、動作状態となる。
【００５７】
親機無線機３は、無線通信のためのチャネル（周波数）をチャネル設定スイッチ３ｄで設定し、設定したチャネル（周波数）などの無線条件を無線条件ＪRとしてメモリ６ａ→コネクタのコネクタスイッチｓｗｂ→メモリ６ｂの経路で有線通信し、子機無線機４にも同じチャネル（周波数）を含む無線条件を自動設定する。また、親機無線機３および子機無線機４は、それぞれ表示器３ｂおよび表示器４ｂに、電界強度などの電波状況をＲＳＳＩ（Receive Signal Strength Indicator）表示する。
【００５８】
なお、チャネル設定スイッチ３ｄによるチャネル（周波数）の設定は、表示器３ｃの電界強度を目視確認しながら、電界強度が弱いチャネル（周波数）を選択して実行する。また、動作モードＭ２では、コネクタ３ｃ−４ｃが結合状態にあるので、データ信号ＳDは、データ線ＬＤ１とデータ線ＬＤ２で形成された有線通信路を介して有線通信される。
【００５９】
一方、チャネル（周波数）の設定は、親機無線機３が予め候補として記憶した複数のチャネル（周波数）の中からスクリーニングし、受信した電界強度が弱いチャネル（周波数）に自動的に設定してもよい。
【００６０】
動作モードＭ３は、親機スイッチ３ａがＰ３ポジション、子機スイッチ４ａがＰ６ポジション、コネクタ３ｃ−４ｃが結合状態にあり、データ信号ＳDを有線通信しながら、親機無線機３から子機無線機４にデータ信号ＳDを無線信号に変換して無線通信する。ただし、子機無線機４は、親機無線機３から受信した無線信号を破棄することにより、受信した無線信号をデータ信号ＳDに変換せず、データ信号ＳDをデータ線ＬＤ２に送信しない。
【００６１】
動作モードＭ４は、親機スイッチ３ａがＰ３ポジション、子機スイッチ４ａがＰ６ポジションにあり、親機スイッチ３ａおよび子機スイッチ４ａは、動作モードＭ３と同じであるが、コネクタ３ｃ−４ｃが分離状態にある。
【００６２】
コネクタ３ｃ−４ｃを分離することにより、データ線ＬＤ１とデータ線ＬＤ２で形成されていた有線通信路が分離され、データ信号ＳDの有線通信が中断されるが、親機無線機３から子機無線機４に、データ信号ＳDを変換した無線信号が無線通信されることになる。したがって、データ信号ＳDの有線通信が継続して無線信号の無線通信に移行することになる。
【００６３】
なお、コネクタ３ｃ−４ｃを分離したとき、子機無線機４の結合監視部８ｂが直流電源Ｖ１を検出できなくなるので、例えばこの状態をトリガーにして、子機無線機４は、親機無線機３から受信した無線信号を破棄せず、無線信号をデータ信号ＳDに変換し、データ信号ＳDをデータ線ＬＤ２に乗せるように構成する。
【００６４】
このように、この発明に係る親機無線機３は、動作モードを設定する親機スイッチ３ａを備え、チャネル（周波数）の設定、設定したチャネル（周波数）の子機無線機４への送信、および子機無線機４へデータの無線通信を行うので、親機スイッチａを切替えることにより、無線通信のための親機無線機３のチャネル（周波数）設定、親機無線機から子機無線機４へ有線でチャネル（周波数）設定、コネクタ３ｃ−４ｃを分離した時のデータの無線通信を実現することができ、操作を単純にして、利便性の向上を図ることができる。
【００６５】
また、この発明に係る両コネクタ３ｃ、４ｃは、結合時に、親機無線機３で設定したチャネル（周波数）を子機無線機４に有線で送信するので、親機無線機３で設定されたチャネル（周波数）をコネクタを介して有線通信して子機無線機４に自動的に設定することができ、無線知識がなくても容易に無線条件を設定することができる。
【００６６】
図６はこの発明に係る表示器の一実施の形態イメージ図である。図６において、親機無線機３の表示器３ｂおよび子機無線機４の表示器４ｂは、例えば、ＬＥＤ（発光ダイオード）を複数個並べて構成し、コネクタ３ｃとコネクタ４ｃの結合状態または分離状態を表示する「結合／分離」表示器、親機無線機３で設定したチャネル（周波数）で、親機無線機３と子機無線機４間の無線通信が成立したか否かを表示する「無線通信  ＯＫ／ＮＧ」表示器、パケットエラーレイト（ＰＥＲ）や電波強度などの無線条件をＨレベルからＬレベルまでのレベルメータ形式で表示する「Ｈ⇔Ｌ」表示器などを備える。
【００６７】
コネクタ３ｃとコネクタ４ｃが結合されている状態では、親機無線機３と子機無線機４が隣り合わせになっており、「結合／分離」表示、「無線通信  ＯＫ／ＮＧ」表示および「Ｈ⇔Ｌ」表示を表示器３ｂおよび表示器４ｂで目視確認してからコネクタ３ｃとコネクタ４ｃを分離して無線通信に移行することができる。
【００６８】
このように、この発明に係る親機無線機３および子機無線機４は、それぞれコネクタ３ｃ、４ｃの結合／分離、無線通信の正常／異常、電界強度の強／弱などの無線条件を表示する表示器３ｂ、４ｃを備えたので、コネクタの結合時に、親機無線機３と子機無線機４が接続（隣接）されているので、両表示器３ｂ、４ｂで親機無線機３および子機無線機４の正常動作を目視確認してから、コネクタを分離してデータの無線通信に移行することができ、データの無線通信を保証することができる。
【００６９】
図７はこの発明に係る無線装置が適用される生産システムの一実施の形態システム構成図である。図７において、生産システムは、生産設備（ＰＬＣ）１０ａ〜１０ｎをそれぞれ親機無線機に接続し、親機無線機とペアとなる全ての子機無線機を中央処理装置１２に接続する。なお、親機無線機と子機無線機との間は、コネクタが分離状態にあり、親機無線機から子機無線機へのデータ伝送は、無線通信で実行されている。
【００７０】
一方、親機無線機と子機無線機のコネクタを結合状態にし、親機無線機と子機無線機との間に有線通信路を形成し、それぞれ生産設備（ＰＬＣ）１０ａ〜１０ｎから中央処理装置１２にデータを有線通信で伝送することもできる。
【００７１】
以上説明したように、この発明に係る無線装置１の親機無線機３および子機無線機４は、それぞれ第一のケーブル（ケーブル２ａ）および第二のケーブル（ケーブル２ｂ）間を接続または切断するコネクタ３ｃ、４ｃを備え、両コネクタ３ｃ、４ｃの結合時に、第一のケーブル（ケーブル２ａ）および第二のケーブル（ケーブル２ｂ）間を接続して有線通信路を形成し、データ伝送を行うので、無線状態の悪い環境で使用する場合や通常の運用形態では、親機無線機３と子機無線機４をコネクタで接続してデータを有線通信で伝送するとともに、親機無線機３と子機無線機４を結合してデータ伝送できない環境で使用する場合には、親機無線機３と子機無線機４とのコネクタを分離してデータを無線通信で伝送することができ、使用環境に応じて有線および無線の双方に、柔軟に対応可能になり、使い勝手の良さをアピールすることができる。
【産業上の利用可能性】
【００７２】
本発明に係る無線装置は、親機無線機と子機無線機のコネクタを接続するとスルーとなって、有線通信を可能にするとともに、親機無線機と子機無線機のコネクタを分離すると無線通信を可能にする、使用環境に応じて有線および無線の双方に、柔軟に対応可能な使い勝手の良いもので、生産設備と処理装置間や情報端末相互間を接続してデータ伝送するあらゆる無線装置に適用することができる。
【図面の簡単な説明】
【００７３】
【図１】この発明に係る無線装置の一実施の形態コネクタ分離図
【図２】この発明に係る無線装置の一実施の形態コネクタ結合図
【図３】この発明に係る無線装置の一実施の形態要部ブロック構成図
【図４】この発明に係る親機スイッチおよび子機スイッチの一実施の形態構成図
【図５】この発明に係る無線装置の一実施の形態動作モード図
【図６】この発明に係る表示器の一実施の形態イメージ図
【図７】この発明に係る無線装置が適用される生産システムの一実施の形態システム構成図
【符号の説明】
【００７４】
１    無線装置
２ａ，２ｂ    ケーブル
３    親機無線機
３ａ    親機スイッチ
３ｂ    表示器
３ｃ    コネクタ
３ｄ    チャネル設定スイッチ
４    子機無線機
４ａ    子機スイッチ
４ｂ    表示器
４ｃ    コネクタ
５ａ，５ｂ    ＣＰＵ
６ａ，６ｂ    メモリ
７ａ，７ｂ    ＲＦ部
８ａ，８ｂ    結合監視部
９ａ，９ｂ    電源部
１０    生産設備（ＰＬＣ）
１１    処理装置
１２    中央処理装置
ｓｗａ，ｓｗｂ，ｓｗｃ，ｓｗｄ    コネクタスイッチ
ＳＷ１，ＳＷ２    電源スイッチ
ＡＮＴ１，ＡＮＴ２    アンテナ
ＬＤ１，ＬＤ２    データ線
ＬＰ１，ＬＰ２    電源線
Ｖ１，Ｖ２    直流電源
ＳD    データ信号
ＪR    無線条件
【図１】
2007006000.tif 000003
【図２】
2007006000.tif 000004
【図３】
2007006000.tif 000005
【図４】
2007006000.tif 000006
【図５】
2007006000.tif 000007
【図６】
2007006000.tif 000008
【図７】
2007006000.tif 000009